【手続補正書】
【提出日】平成25年12月18日(2013.12.18)
【手続補正１】
【補正対象書類名】特許請求の範囲
【補正対象項目名】全文
【補正方法】変更
【補正の内容】
【特許請求の範囲】
【請求項１】
複数の景品が一方向に重ねられた集積状態で収納される１または複数の収納部を有する景品払出機であって、
前記収納部内の景品群に集積異常が発生しているか否かを判定する異常判定手段と、
前記異常判定手段によって集積異常が発生していると判定された場合に、景品の集積異常に関する情報を出力する出力手段とを含む、景品払出機。
【請求項２】
前記異常判定手段は、集積異常の種類を特定する異常種類特定手段をさらに含む、請求項１に記載の景品払出機。
【請求項３】
前記異常種類特定手段は、景品間の隙間が特定できない状態にある「隙間無し異常」、適正な景品とは厚さの異なる景品が含まれている「景品間隔異常」、前記収納部内に規定数以上の景品が収納されている「詰めすぎ異常」、景品間に異物が混入されている「異物混入異常」および景品の厚さ方向が景品集積方向と一致しない姿勢の景品が存在する「景品姿勢異常」のうち少なくとも１つの異常を特定するものである、請求項２に記載の景品払出機。
【請求項４】
前記異常判定手段は、集積異常が発生している景品位置を特定する異常位置特定手段をさらに含む、請求項２または３に記載の景品払出機。
【請求項５】
前記異常判定手段によって集積異常が発生していると判定されたときに、景品の集積異常に関する情報を表示する異常表示手段をさらに含む、請求項４に記載の景品払出機。
【請求項６】
前記異常表示手段は、集積異常の種類を表す情報、集積異常が発生している収納部を示す情報および集積異常が発生している景品位置を示す情報のうちの少なくとも１つを表示するものである、請求項５に記載の景品払出機。
【請求項７】
前記収納部内の景品群の集積方向の長さを測定する測定手段と、
前記収納部内の景品数を計数する計数手段とをさらに含み、
前記異常種類特定手段は、前記測定手段によって計測された景品群の集積方向の長さと、前記計数手段の計数結果とに基づいて、景品の厚さ方向が景品集積方向と一致しない景品が景品群の一端側に存在する「景品姿勢異常」を特定する手段を含む、請求項２に記載の景品払出機。
【請求項８】
前記収納部内の景品数を計数する計数手段をさらに含み、
前記異常判定手段は、前記計数手段によって収納部内の景品数が計数されるときに、前記収納部内の景品群に集積異常が発生しているか否かを判定するものである、請求項１〜７のいずれか一項に記載の景品払出機。
【請求項９】
請求項１〜８のいずれか一項に記載の景品払出機と通信可能に接続される景品管理機であって、
前記景品払出機から、景品の集積異常に関する情報を取得する情報取得手段と、
前記情報取得手段によって取得した情報を表示する表示手段とを含む、景品管理機。
【請求項１０】
請求項１〜８のいずれか一項に記載の景品払出機と、請求項９に記載の景品管理機とを含む景品払出システム。
【手続補正２】
【補正対象書類名】明細書
【補正対象項目名】０００７
【補正方法】変更
【補正の内容】
【０００７】
請求項１に記載の発明は、複数の景品が一方向に重ねられた集積状態で収納される１または複数の収納部を有する景品払出機であって、前記収納部内の景品群に集積異常が発生しているか否かを判定する異常判定手段と、前記異常判定手段によって集積異常が発生していると判定された場合に、景品の集積異常に関する情報を出力する出力手段とを含む、景品払出機である。
【手続補正３】
【補正対象書類名】明細書
【補正対象項目名】０００８
【補正方法】変更
【補正の内容】
【０００８】
異常判定手段によって、収納部内の景品群に集積異常が発生しているか否かが判定される。異常判定手段によって集積異常が発生していると判定されたときには、景品の集積異常に関する情報が出力される。これにより、収納部内の景品群に集積異常が発生していることを検知して係員等に報知することが可能となる。
請求項２に記載の発明は、前記異常判定手段は、集積異常の種類を特定する異常種類特定手段をさらに含む、請求項１に記載の景品払出機である。この構成では、集積異常の種類を特定することができる。これにより、集積異常の種類を係員等に報知することも可能となる。
【手続補正４】
【補正対象書類名】明細書
【補正対象項目名】０００９
【補正方法】変更
【補正の内容】
【０００９】
請求項３記載の発明は、前記異常種類特定手段は、景品間の隙間が特定できない状態にある「隙間無し異常」、適正な景品とは厚さの異なる景品が含まれている「景品間隔異常」、前記収納部内に規定数以上の景品が収納されている「詰めすぎ異常」、景品間に異物が混入されている「異物混入異常」および景品の厚さ方向が景品集積方向と一致しない姿勢の景品が存在する「景品姿勢異常」のうち少なくとも１つの異常を特定するものである、請求項２に記載の景品払出機である。
【手続補正５】
【補正対象書類名】明細書
【補正対象項目名】００１０
【補正方法】変更
【補正の内容】
【００１０】
請求項４記載の発明は、前記異常判定手段は、集積異常が発生している景品位置を特定する異常位置特定手段をさらに含む、請求項２または３に記載の景品払出機である。この構成によれば、集積異常が発生している景品位置を特定して、係員等に報知することが可能となる。
請求項５記載の発明は、前記異常判定手段によって集積異常が発生していると判定されたときに、景品の集積異常に関する情報を表示する異常表示手段をさらに含む、請求項４に記載の景品払出機である。この構成によれば、異常判定手段によって集積異常が発生していると判定されたときに、景品の集積異常に関する情報を表示することができる。
【手続補正６】
【補正対象書類名】明細書
【補正対象項目名】００１１
【補正方法】変更
【補正の内容】
【００１１】
請求項６記載の発明は、前記異常表示手段は、集積異常の種類を表す情報、集積異常が発生している収納部を示す情報および集積異常が発生している景品位置を示す情報のうちの少なくとも１つを表示するものである、請求項５に記載の景品払出機である。この構成によれば、異常判定手段によって集積異常が発生していると判定されたときに、集積異常の種類を表す情報、集積異常が発生している収納部を示す情報および集積異常が発生している景品位置を示す情報のうちの少なくとも１つを表示することができる。
【手続補正７】
【補正対象書類名】明細書
【補正対象項目名】００１２
【補正方法】変更
【補正の内容】
【００１２】
請求項７記載の発明は、前記収納部内の景品群の集積方向の長さを測定する測定手段と、前記収納部内の景品数を計数する計数手段とをさらに含み、前記異常種類特定手段は、前記測定手段によって計測された景品群の集積方向の長さと、前記計数手段の計数結果とに基づいて、景品の厚さ方向が景品集積方向と一致しない景品が景品群の一端側に存在する「景品姿勢異常」を特定する手段を含む、請求項２に記載の景品払出機である。この構成によれば、景品の厚さ方向が景品集積方向と一致しない景品が景品群の一端側に存在する「景品姿勢異常」を特定して、係員に報知することができる。
【手続補正８】
【補正対象書類名】明細書
【補正対象項目名】００１３
【補正方法】変更
【補正の内容】
【００１３】
請求項８記載の発明は、前記収納部内の景品数を計数する計数手段をさらに含み、前記異常判定手段は、前記計数手段によって収納部内の景品数が計数されるときに、前記収納部内の景品群に集積異常が発生しているか否かを判定するものである、請求項１〜７のいずれか一項に記載の景品払出機である。この構成では、計数手段によって収納部内の景品数が計数されるときに、収納部内の景品群に集積異常が発生しているか否かが判定される。これにより、収納部内の景品数の計数処理と、集積異常が発生しているか否かを判定するための処理とを同時に行うことができる。
【手続補正９】
【補正対象書類名】明細書
【補正対象項目名】００１４
【補正方法】変更
【補正の内容】
【００１４】
請求項９記載の発明は、請求項１〜８のいずれか一項に記載の景品払出機と通信可能に接続される景品管理機であって、前記景品払出機から、景品の集積異常に関する情報を取得する情報取得手段と、前記情報取得手段によって取得した情報を表示する表示手段とを含む、景品管理機である。この構成によれば、異常判定手段によって集積異常が発生していると判定されたときには、景品管理機側において、景品の集積異常に関する情報を表示することができる。
【手続補正１０】
【補正対象書類名】明細書
【補正対象項目名】００１５
【補正方法】変更
【補正の内容】
【００１５】
請求項１０記載の発明は、請求項１〜８のいずれか一項に記載の景品払出機と、請求項９に記載の景品管理機とを含む、景品払出システムである。